(57)【特許請求の範囲】
【請求項１】
取り入れた外気を目標温湿度に調温／調湿する温湿度調整器（４，４…）として、加熱容量可変の主加熱装置（Ｈ），加湿容量可変の断熱加湿装置（Ｗ），冷却容量可変の冷却装置（Ｃ），加熱容量の微調整が可能な補助加熱装置（ＲＨ）及び加湿容量の微調整が可能な等温加湿装置（ＤＳ）のうち、少なくとも一以上がこの順序で配列されてなる空調装置（１）を想定し、任意の温湿度の外気を取り入れたときの温湿度制御状態のシミュレーションを行う空調装置の温湿度制御シミュレータであって、
空調装置（１）の条件設定データとして少なくとも空調空気の目標温湿度及び各温湿度調整器（４，４…）の容量を入力するデータ入力装置（１１）と、これらの各条件設定データを所定の記憶領域に記憶するデータ記憶装置（１２）と、湿り空気線図を数値データ又は数式データ化して記憶した空気線図テーブル（１３）と、前記データ記憶装置（１２）に記憶された条件設定データに基づき前記空気線図テーブル（１３）から読み出した湿り空気線図を温湿度制御に必要な温湿度調整器（４，４…）の組合せに応じて複数の制御エリア（Ａ１〜Ａ１０) に区分した制御マップ（Ｍ) を設定する制御マップ設定器（１４）と、制御マップ（Ｍ）を湿り空気線図に重ねてグラフィック表示する表示装置（１５）を備えたことを特徴とする空調装置の温湿度制御シミュレータ。
【請求項２】
前記データ記憶装置（１２）に外気温湿度（Ｔ１  〜Ｔ１０，Φ１  〜Φ１０）を記憶する領域が設定されてなる請求項１記載の空調装置の温湿度制御シミュレータ。
【請求項３】
前記外気温湿度（Ｔ１  〜Ｔ１０，Φ１  〜Φ１０）により定まる外気状態点（Ｇ１  〜Ｇ１０）が前記制御マップ（Ｍ）上のどの制御エリア（Ａ１  〜Ａ１０）に属するかを判断する制御エリア判定器（１６）と、前記各制御エリア（Ａ１  〜Ａ１０）ごとに、前記外気状態点（Ｇ１  〜Ｇ１０）から予め設定された目標とする温湿度の状態点に至るまで、湿り空気線図上を等絶対湿度線に沿って加熱方向に推移する主加熱操作線  （Ｈｌ  ）と、湿り空気線図上を等エンタルピ線に沿って加湿方向に推移する断熱加湿操作線  （Ｗｌ  ）と、湿り空気線図上を冷却装置（Ｃ）の冷却温度（Ｔｃ）に向かって推移する冷却操作線（Ｃｌ  ）と、湿り空気線図上を等絶対湿度線に沿って加熱方向に推移する補助加熱操作線  （ＲＨｌ  ）と、湿り空気線図上を等温線に沿って加湿方向に推移する等温加湿操作線（ＤＳｌ  ）のうち必要な線をこの順で連結した状態変化予想線（Ｊ１  〜Ｊ１０）を設定する予想線設定器（１７）を備え、前記状態変化予想線（Ｊ１  〜Ｊ１０）が前記表示装置（１５）の制御マップ（Ｍ）上にグラフィック表示されるように成された請求項２記載の空調装置の温湿度制御シミュレータ。
【請求項４】
前記空調装置（１）の条件設定データとして、
Ｔｓ    ：空調空気の目標上限温度
Φｓ    ：空調空気の目標上限湿度
Ｔｗ    ：空調空気の目標下限温度
Φｗ    ：空調空気の目標下限湿度
Ｈｍａｘ    ：主加熱装置の供給熱量を最大にしたときの最大加熱容量
Ｈｍｉｎ    ：主加熱装置の供給熱量を最小にしたときの最小加熱容量
Ｗｍａｘ    ：断熱加湿装置の最大加湿容量
Ｃｍａｘ    ：冷却装置の最大冷却容量
Ｔｃ    ：冷却装置の冷却温度
ＲＨｍａｘ  ：補助加熱装置の最大加熱容量
ＤＳｍａｘ  ：等温加湿装置の最大加湿容量
Ｔｍａｘ    ：外気温度上限設定値，
が設定可能になされた請求項１乃至３記載の空調装置の温湿度制御シミュレータ。
【請求項５】
制御マップ設定器（１４）が、前記データ記憶装置（１２）に記憶されたこれらの各条件設定データに基づき、空気線図テーブル（１３）から読み出した湿り空気線図上に、
Ｐｓ：高温期の空調空気の温湿度（Ｔｓ，Φｓ）によって定まる上限状態点，  Ｐｗ：低温期の空調空気の温湿度（Ｔｗ，Φｗ）によって定まる下限状態点，  Ｌ０  ：中間期の空調空気の温湿度を前記上限状態点（Ｐｓ）及び下限状態点（Ｐ
ｗ）を結んだ線で表す目標温湿度線，
Ｌｓ，Ｌｗ：補助加熱操作で目標温湿度線（Ｌ０  ）に至る領域を前記上限状態点（Ｐｓ）及び下限状態点（Ｐｗ）から夫々の露点へ延びる等絶対湿度線により設定する上限及び下限補助加熱線，
Ｅｓ，Ｅｗ：上限状態点（Ｐｓ）及び下限状態点（Ｐｗ）から等エンタルピ線と平行に高温側へ延びる上限及び下限エンタルピ線，
Ｌ１  ：上限及び下限エンタルピ線（Ｅｓ，Ｅｗ）に挟まれた領域内で断熱加湿操作により目標温湿度線（Ｌ０  ）に至る領域を前記目標温湿度線（Ｌ０  ）に対して断熱加湿装置（Ｗ）の最大加湿容量（Ｗｍａｘ  ）に応じた加湿分だけ低湿度側に設定した線で表す断熱加湿容量設定線，
Ｌ２  ：前記下限エンタルピ線（Ｅｗ）と断熱加湿容量設定線（Ｌ１  ）とを等温加湿装置（ＤＳ）の最大加湿容量（ＤＳｍａｘ  ）に応じて等温度線に沿って低湿度側に平行移動した線で、断熱加湿操作と等温加湿操作を併用することによって目標温湿度線（Ｌ０  ）に達する下限を表す全加湿容量設定線，
Ｌ３  ：主加熱装置（Ｈ）の最小加熱容量（Ｈｍｉｎ  ）に応じた温度分だけ下限エンタルピ線（Ｅｗ）を低温側に移動させ、その下端から等温線と平行に伸ばした線で、主加熱装置（Ｈ）で安定的に制御し得る最小加熱容量を示す最小主加熱容量設定線，
Ｌ４  ：主加熱操作により下限状態点（Ｐｗ）のエンタルピに達する下限エンタルピを、主加熱装置（Ｈ）の最大加熱容量（Ｈｍａｘ  ）に応じたエンタルピ分だけ下限状態点（Ｐｗ）のエンタルピより低い等エンタルピ線で表す最大主加熱容量設定線，
Ｌ５  ：等温加湿操作を行うことにより下限状態点（Ｐｗ）に達する最低温度を下限状態点（Ｐｗ）から等温線に沿って降ろした線で表す等温加湿下限温度線，
Ｌ６  ：断熱加湿操作を行うことにより下限状態点（Ｐｗ）の絶対湿度と等しい湿度まで加湿できる下限絶対湿度を、下限エンタルピ線（Ｅｗ）と断熱加湿容量設定線（Ｌ１  ）との交点と絶対湿度が等しい線で表す断熱加湿下限湿度線，
Ｌ７  ：断熱加湿操作及び等温加湿操作を行うことにより下限状態点（Ｐｗ）の絶対湿度と等しい湿度まで加湿できる下限絶対湿度を、全加湿容量設定線（Ｌ２  ）の下限絶対湿度を通る等絶対湿度線で表す全加湿下限湿度線，
Ｌ８  ：最大主加熱容量設定線（Ｌ４  ）と断熱加湿下限湿度線（Ｌ６  ）との交点温度における全加湿下限湿度線（Ｌ７  ）上の点から低温側に延びる等エンタルピ線で、補助加熱操作を行うことなく下限状態点（Ｐｗ）まで加熱可能な温度範囲を表す主加熱限界線，
Ｌ９  ：補助加熱装置（ＲＨ）の供給熱量を最大にしたときの最大加熱容量（ＲＨｍａｘ  ）に応じたエンタルピ分だけ、主加熱下限温度線（Ｌ８  ）から低エンタルピ側に平行に設定された等エンタルピ線で、主加熱操作及び補助加熱操作を行って下限状態点（Ｐｗ）まで加熱可能な下限温度を表す全加熱下限温度線，
Ｌ１０：冷却装置（Ｃ）の最大冷却容量（Ｃｍａｘ  ）に応じたエンタルピ分だけ上限状態点（Ｐｓ）の露点のエンタルピより高エンタルピ側に設定した線で、上限状態点（Ｐｓ）の絶対湿度まで除湿可能な上限温湿度を表す冷却限界線，
Ｌ１１：冷却装置（Ｃ）の冷却温度（Ｔｃ）における相対湿度１００％の冷却状態点（Ｐｃ）と上限状態点（Ｐｓ）を結ぶ延長線で、上限状態点（Ｐｓ）より高温側へ延びる冷却線，
Ｌ１２：外気温度上限設定値Ｔｍａｘ  に応じた上限温度線，
を数値データ化または数式データ化して設定すると共に、
Ａ１  ：全加熱下限温度線（Ｌ９  ）と全加湿下限湿度線（Ｌ７  ）と主加熱下限温度線（Ｌ８  ）と飽和蒸気圧線（ＬＨ）で囲まれた低温期低温低湿度制御エリア，
Ａ２  ：主加熱限界線（Ｌ８  ）と全加湿下限湿度線（Ｌ７  ）と最小主加熱容量設定線（Ｌ３  ）と断熱加湿下限湿度線（Ｌ６  ）と最大主加熱容量設定線（Ｌ４  ）と飽和蒸気圧線（ＬＨ）で囲まれた低温期高温低湿度制御エリア，
Ａ３  ：最大主加熱容量設定線（Ｌ４  ）と断熱加湿下限湿度線（Ｌ６  ）と最小主加熱容量設定線（Ｌ３  ）と飽和蒸気圧線（ＬＨ）で囲まれた低温期高温高湿度制御エリア，
Ａ４  ：目標温湿度線（Ｌ０  ）と下限エンタルピ線（Ｅｗ）と断熱加湿容量設定線（Ｌ１  ）と上限エンタルピ線（Ｅｓ）で囲まれた中間期低相対湿度制御エリア，
Ａ５  ：下限エンタルピ線（Ｅｗ）と断熱加湿容量設定線（Ｌ１  ）と上限温度線（Ｌ１２）と全加湿容量設定線（Ｌ２  ）と最小主加熱容量設定線（Ｌ３  ）と等温加湿下限温度線（Ｌ５  ）とで囲まれた中間期低絶対湿度制御エリア，
Ａ６  ：全加湿下限湿度線（Ｌ７  ）と全加湿容量設定線（Ｌ２  ）と最小主加熱容量設定線（Ｌ３  ）とで囲まれた中間期低エンタルピ制御エリア，
Ａ７  ：上限エンタルピ線（Ｅｓ）と目標温湿度線（Ｌ０  ）と下限エンタルピ線（Ｅｗ）と飽和蒸気圧線（ＬＨ）により囲まれた中間期高相対湿度制御エリア，
Ａ８  ：下限エンタルピ線（Ｅｗ）と等温加湿下限温度線（Ｌ５  ）と最小主加熱容量設定線（Ｌ３  ）により囲まれた中間期低温制御エリア，
Ａ９  ：上限エンタルピ線（Ｅｓ）と上限温度線（Ｌ１２）と冷却限界線（Ｌ１０）と冷却線（Ｌ１１）とで囲まれた高温期低湿度制御エリア，
Ａ１０：冷却限界線（Ｌ１０）と冷却線（Ｌ１１）と上限補助加熱線（Ｌｓ）と飽和蒸気圧線（ＬＨ）で囲まれた高温期高湿度制御エリア，
の範囲を数値データ化または数式データ化して設定するように成された請求項１乃至４記載の空調装置の温湿度制御シミュレータ。
【請求項６】
前記予想線設定器（１７）は、制御エリア（Ａ１  〜Ａ１０）ごとに使用する温湿度調整器（４，４…）及びその手順を予め記憶した低温期低温低湿度制御手順設定器（Ｓ１  ），低温期高温低湿度制御手順設定器（Ｓ２  ），低温期高温高湿度制御手順設定器（Ｓ３  ），中間期低相対湿度制御手順設定器（Ｓ４  ），中間期低絶対湿度制御手順設定器（Ｓ５  ），中間期低エンタルピ制御手順設定器（Ｓ６  ），中間期高相対湿度制御手順設定器（Ｓ７  ），中間期低温制御手順設定器（Ｓ８  ），高温期低湿度制御手順設定器（Ｓ９  ）及び高温期高湿度制御手順設定器（Ｓ１０）を備え、
低温期低温低湿度制御手順設定器（Ｓ１  ）には，使用する温湿度調整器（４）として主加熱装置（Ｈ）と断熱加湿装置（Ｗ）と補助加熱装置（ＲＨ）と等温加湿装置（ＤＳ）が設定されると共に、制御手順として低温期低温低湿度制御エリア（Ａ１  ）に属する外気状態点（Ｇ１  ）から下限状態点  （Ｐｗ）に至るまで、主加熱操作線（Ｈｌ  ）と断熱加湿操作線  （Ｗｌ  ）と補助加熱操作線  （ＲＨｌ  ）と等温加湿操作線（ＤＳｌ  ）をこの順で結んだ状態変化予想線（Ｊ１  ）が設定され、
低温期高温低湿度制御手順設定器（Ｓ２  ）には、使用する温湿度調整器（４）として主加熱装置（Ｈ）と断熱加湿装置（Ｗ）と等温加湿装置（ＤＳ）が設定されると共に、制御手順として低温期高温低湿度制御エリア（Ａ２  ）に属する外気状態点（Ｇ２  ）から下限状態点  （Ｐｗ）に至るまで、主加熱操作線（Ｈｌ  ）と断熱加湿操作線  （Ｗｌ  ）と等温加湿操作線（ＤＳｌ  ）をこの順で結んだ状態変化予想線（Ｊ２  ）が設定され、
低温期高温高湿度制御手順設定器（Ｓ３  ）には、使用する温湿度調整器（４）として主加熱装置（Ｈ）と断熱加湿装置（Ｗ）が設定されると共に、制御手順として低温期高温高湿度制御エリア（Ａ３  ）に属する外気状態点（Ｇ３  ）から下限状態点  （Ｐｗ）に至るまで、主加熱操作線（Ｈｌ  ）と断熱加湿操作線  （Ｗｌ  ）とをこの順で結んだ状態変化予想線（Ｊ３  ）が設定され、
中間期低相対湿度制御手順設定器（Ｓ４  ）には、使用する温湿度調整器（４）として断熱加湿装置（Ｗ）が設定されると共に、制御手順として中間期低相対湿度制御エリア（Ａ４  ）に属する外気状態点（Ｇ４  ）から目標温湿度線（Ｌ０  ）上の点に至るまで、断熱加湿操作線  （Ｗｌ  ）が状態変化予想線（Ｊ４  ）として設定され、
中間期低絶対湿度制御手順設定器（Ｓ５  ）には、使用する温湿度調整器（４）として断熱加湿装置（Ｗ）と等温加湿装置（ＤＳ）が設定されると共に、制御手順として中間期低絶対湿度制御エリア（Ａ５  ）に属する外気状態点（Ｇ５  ）から目標温湿度線（Ｌ０  ）上の点に至るまで、断熱加湿操作線  （Ｗｌ  ）と等温加湿操作線（ＤＳｌ  ）をこの順で結んだ状態変化予想線（Ｊ５  ）が設定され、
中間期低エンタルピ制御手順設定器（Ｓ６  ）には、使用する温湿度調整器（４）として断熱加湿装置（Ｗ）と補助加熱装置（ＲＨ）と等温加湿装置（ＤＳ）が設定されると共に、制御手順として中間期低エンタルピ制御エリア（Ａ６  ）に属する外気状態点（Ｇ６  ）から目標温湿度線（Ｌ０  ）上の点に至るまで、断熱加湿操作線  （Ｗｌ  ）と補助加熱操作線  （ＲＨｌ  ）と等温加湿操作線（ＤＳｌ  ）をこの順で結んだ状態変化予想線（Ｊ６  ）が設定され、
中間期高相対湿度制御手順設定器（Ｓ７  ）には、使用する温湿度調整器（４）として補助加熱装置（ＲＨ）が設定されると共に、制御手順として中間期高相対湿度制御エリア（Ａ７  ）に属する外気状態点（Ｇ７  ）から目標温湿度線（Ｌ０  ）上の点に至るまで、補助加熱操作線  （ＲＨｌ  ）が状態変化予想線（Ｊ７  ）として設定され、
中間期低温制御手順設定器（Ｓ８  ）には、使用する温湿度調整器（４）として断熱加湿装置（Ｗ）と補助加熱装置（ＲＨ）が設定されると共に、制御手順として中間期低温制御エリア（Ａ８  ）に属する外気状態点（Ｇ８  ）から下限状態点（Ｐｗ）に至るまで、断熱加湿操作線  （Ｗｌ  ）と補助加熱操作線  （ＲＨｌ  ）をこの順で結んだ状態変化予想線（Ｊ８  ）が設定され、
高温期低湿度制御手順設定器（Ｓ９  ）には、使用する温湿度調整器（４）として断熱加湿装置（Ｗ）と冷却装置（Ｃ）が設定されると共に、制御手順として高温期低湿度制御エリア（Ａ９  ）に属する外気状態点（Ｇ９  ）から上限状態点（Ｐｓ）に至るまで、断熱加湿操作線  （Ｗｌ  ）と冷却操作線（Ｃｌ  ）をこの順で結んだ状態変化予想線（Ｊ９  ）が設定され、
高温期高湿度制御手順設定器（Ｓ１０）には、使用する温湿度調整器（４）として冷却装置（Ｃ）と補助加熱装置（ＲＨ）が設定されると共に、制御手順として高温期高湿度制御エリア（Ａ１０）に属する外気状態点（Ｇ１０）から上限状態点（Ｐｓ）に至るまで、冷却操作線（Ｃｌ  ）と補助加熱操作線  （ＲＨｌ  ）をこの順で結んだ状態変化予想線（Ｊ１０）が設定されてなる請求項３乃至５記載の空調装置の温湿度制御シミュレータ。
【発明の詳細な説明】
【０００１】
【発明の属する技術分野】
本発明は、これから設計しようとする空調装置や既設の空調装置に、任意の温湿度の外気を取り入れたときの温湿度制御状態のシミュレーションを行う空調装置の温湿度制御シミュレータに関する。
【０００２】
【従来の技術】
図８は、取り入れた外気を予め設定した所定の温湿度に調温・調湿する一般的な空調装置１を示すもので、一端側に形成された外気取入口２から、他端側に形成された空調空気送給口３に至る空気流路中に、外気を調温／調湿する温湿度調整器４，４…が配設されている。
温湿度調整器４，４…としては、プレヒータと称するバーナなどの加熱容量可変の主加熱装置Ｈ，充填材式気液接触装置などの加湿容量可変の断熱加湿装置Ｗ，  冷却コイルなどの冷却容量可変の冷却装置Ｃ，  レヒータと称する加熱容量の微調整が可能な補助加熱装置ＲＨ，蒸気放出管などの等温加湿を行う等温加湿装置ＤＳが、その順序に従って配設されている。
【０００３】
また、断熱加湿装置Ｗの出口側に配された温度センサ５と、空調空気送給口３に配された温湿度センサ６が、制御装置７に接続されており、温度センサ５により主加熱装置Ｈ及び断熱加湿装置Ｗを通過した空気の温度を検出し、温湿度センサ６により冷却装置Ｃ，補助加熱装置ＲＨ，等温加湿装置ＤＳを通過した空調空気の温湿度を検出するように成されている。
【０００４】
そして、従来の温湿度制御は、断熱加湿装置Ｗをフルパワーで運転することにより断熱加湿装置Ｗを通過した空気を相対湿度１００％の飽和蒸気とし、このときの温度を温度センサ５で測定する。
そして、その温度が、許容温度範囲より高ければ主加熱装置Ｈの供給熱量を減少させ、許容温度範囲より低ければ主加熱装置Ｈの供給熱量を増大させて許容温度範囲内まで上昇させ、その後、温湿度センサ６の検出結果に基づいて、冷却装置Ｃで冷却することにより所定絶対湿度まで除湿し、等温加熱装置ＲＨにより所定温度まで加熱し、または、必要に応じて補助加熱装置ＤＳにより等温加湿を行って加湿し、最終的に所望の温湿度に達するように調整している。
したがって、夏場でも冬場でも外気の変化にかかわらず所定の温湿度に調整された空調空気を供給することができる。
【０００５】
【発明が解決しようとする課題】
しかしながら、この場合に、空調装置１の各温湿度調整器４，４…は、その空調装置１を設置する場所の最高温湿度及び最低温湿度に応じて最大容量が決定されるが、その算定基準は、具体的な気象データや温湿度制御との関係で定められるものではなく長年の経験と勘に頼っているのが現状である。
したがって、夏場に冷却装置Ｃが容量不足になったり、冬場に主加熱装置Ｈと補助加熱装置ＲＨを合わせても容量不足になって、制御不能に陥ることがないように、いずれも安全を見越して各温湿度調整器４，４…の容量を大きめに設定する傾向にある。
【０００６】
また、従来の制御方法では、例えば、冬場は、主加熱装置Ｈ，断熱加湿装置Ｗ，冷却装置Ｃ，補助加熱装置ＲＨ，等温加湿装置ＤＳの全てを稼動させて、最終的に所望の温湿度に達するように制御している。
そして、この場合、図９に示すように、主加熱装置Ｈで必要以上に加熱し、断熱加湿装置Ｗで必要以上に加湿した後に、余分な水分を除去するために冷却装置Ｃで冷却操作を行い、さらに、補助加熱装置ＲＨにより加熱した温度が所定温度を超えて相対湿度が低下したときには、等温加湿装置ＤＳにより等温加湿を行うというような無駄な制御を行っている。
【０００７】
このように、大容量の温湿度調整器４，４…を用いて、しかも、エネルギー的にロスの多い温湿度制御を行っているため、各温湿度調整器４，４…の容量がその空調装置１を設置する地方の気象条件に適合して選定されているかについての客観的な判断を行うことができなかった。
即ち、新たに空調装置１を設置し、これを最適な制御で稼動させる場合に、各温湿度調整器４，４…はどの程度の容量に設定すべきか，各温湿度調整器４，４…の容量を設定したときにその地方の外気の温湿度変化に対応するか否かの判断を行うことができず、既存の空調装置１の温湿度調整器４，４…を交換するときに新たに設置する温湿度調整器４，４…の容量をどの程度に選定すべきかを評価することができなかった。
【０００８】
そこで本発明は、空調装置に設置される各温湿度調整器の条件を設定することにより、その空調装置に固有の制御マップを作成し、空調装置に取り入れられる外気の温湿度に応じてどのような制御が行われるかシミュレーションさせることができるようにすることを技術的課題としている。
【０００９】
【課題を解決するための手段】
この課題を解決するために、本発明は、取り入れた外気を目標温湿度に調温／調湿する温湿度調整器として、加熱容量可変の主加熱装置，加湿容量可変の断熱加湿装置，冷却容量可変の冷却装置，加熱容量の微調整が可能な補助加熱装置及び加湿容量の微調整が可能な等温加湿装置のうち、少なくとも一以上がこの順序で配列されてなる空調装置を想定し、任意の温湿度の外気を取り入れたときの温湿度制御状態のシミュレーションを行う空調装置の温湿度制御シミュレータであって、空調装置の条件設定データとして少なくとも空調空気の目標温湿度及び各温湿度調整器の容量を入力するデータ入力装置と、これらの各条件設定データを所定の記憶領域に記憶するデータ記憶装置と、湿り空気線図を数値データ又は数式データ化して記憶した空気線図テーブルと、前記データ記憶装置に記憶された条件設定データに基づき前記空気線図テーブルから読み出した湿り空気線図を温湿度制御に必要な温湿度調整器の組合せに応じて複数の制御エリアに区分した制御マップを設定する制御マップ設定器と、制御マップを湿り空気線図に重ねてグラフィック表示する表示装置を備えたことを特徴とする。
【００１０】
本発明によれば、設計しようとする空調装置が有する温湿度調整器の種類に応じて、空調装置の条件設定データを入力すると、その入力データに基づき空気線図を温湿度制御に必要な温湿度調整器の組合せに応じて複数の制御エリアに区分した制御マップがグラフィック表示される。
したがって、空調装置を設置する土地の気象条件を入力して、制御マップ上に表示させることにより、各制御エリアの使用頻度を知ることができ、これに基づいて、条件設定データの適否、特に各温湿度調整器の容量の適否を判定することができ、必要があれば条件設定データを変更して異なる制御マップを描かせ、これらの中から最適のものを選択する基礎データとして用いることができる。
【００１１】
また、入力された外気の温湿度により定まる外気状態点が属する制御エリアに応じて、前記外気状態点から予め設定された目標とする温湿度の状態点に至るまで、空気線図上を等絶対湿度線に沿って加熱方向に推移する主加熱操作線と、空気線図上を等エンタルピ線に沿って加湿方向に推移する断熱加湿操作線と、空気線図上を冷却装置の冷却温度に向かって推移する冷却操作線と、空気線図上を等絶対湿度線に沿って加熱方向に推移する補助加熱操作線と、空気線図上を等温線に沿って加湿方向に推移する等温加湿操作線のうち必要な線をこの順で連結した状態変化予想線を設定し、その状態変化予想線が空気線図と共に表示装置にグラフィック表示させるようにしてもよい。
この場合は、外気の温湿度に応じて表示された状態変化予想線が、予め入力した条件設定データにより想定された空調装置を稼動させたときの外気の温湿度変化としてグラフィック表示され、実際の空調装置を運転することなく運転状況を把握することができる。
【００１２】
【発明の実施の形態】
以下、本発明の実施の形態を図面に基づいて具体的に説明する。
図１は本発明に係る空調装置の温湿度制御シミュレータを示すブロック図、図２は本発明装置で設定された制御マップの一例を示す湿り空気線図、図３（ａ）〜（ｃ），図４（ａ）〜（ｅ）及び図５（ａ），（ｂ）はいずれも各制御エリアで設定される状態変化予想線を示す図である。
【００１３】
本例の空調装置の温湿度制御シミュレータ１０は、取り入れた外気を調温／調湿する温湿度調整器４，４…として、加熱容量可変の主加熱装置Ｈ，加湿容量可変の断熱加湿装置Ｗ，冷却容量可変の冷却装置Ｃ，加熱容量の微調整が可能な補助加熱装置ＲＨ及び加湿容量の微調整が可能な等温加湿装置ＤＳのうち、少なくとも一以上がこの順序で配列されてなる空調装置１を想定し、任意の温湿度の外気を取り入れたときの温湿度制御状態のシミュレーションを行うものである。
【００１４】
この温湿度制御シミュレータ１０は、空調装置１の条件設定データと外気の温湿度を入力するキーボードやマウス、または、記憶媒体からデータを読み取るデータリーダなどのデータ入力装置１１と、これらの各条件設定データなどを所定の記憶領域に記憶するデータ記憶装置１２と、湿り空気線図を数値データ又は数式データ化して記憶した空気線図テーブル１３と、前記データ記憶装置１２に記憶された各条件設定データに基づき前記空気線図テーブル１３から読み出した湿り空気線図を温湿度制御に必要な温湿度調整器４，４…の組合せに応じて複数の制御エリアＡ１  〜Ａ１０に区分した制御マップＭを設定する制御マップ設定器１４と、制御マップＭを湿り空気線図に重ねてグラフィック表示する表示装置１５を備えている。
【００１５】
また、前記データ入力装置１１により入力された外気温度Ｔ１  〜Ｔ１０及び外気湿度Φ１  〜Φ１０により定まる外気状態点Ｇ１  〜Ｇ１０が前記制御マップＭ上のどの制御エリアＡ１  〜Ａ１０に属するかを判断する制御エリア判定器１６と、各制御エリアＡ１  〜Ａ１０ごとに、前記外気状態点Ｇ１  〜Ｇ１０から予め設定された目標とする温湿度の状態点に至るまで、湿り空気線図上を等絶対湿度線に沿って加熱方向に推移する主加熱操作線Ｈｌ  と、湿り空気線図上を等エンタルピ線に沿って加湿方向に推移する断熱加湿操作線Ｗｌ  と、湿り空気線図上を冷却装置Ｃの冷却温度Ｔｃに向かって推移する冷却操作線Ｃｌ  と、湿り空気線図上を等絶対湿度線に沿って加熱方向に推移する補助加熱操作線ＲＨｌ  と、湿り空気線図上を等温線に沿って加湿方向に推移する等温加湿操作線ＤＳｌ  のうち必要な線をこの順で連結した状態変化予想線Ｊ１  〜Ｊ１０を設定する予想線設定器１７を備え、前記状態変化予想線Ｊ１  〜Ｊ１０が前記表示装置１５の湿り空気線図上にグラフィック表示されるように成されている。
【００１６】
前記記憶装置１２には、空調装置１の条件設定データとして、
Ｔｓ    ：空調空気の目標上限温度，
Φｓ    ：空調空気の目標上限湿度，
Ｔｗ    ：空調空気の目標下限温度，
Φｗ    ：空調空気の目標下限湿度，
Ｈｍａｘ    ：主加熱装置Ｈの最大加熱容量，
Ｈｍｉｎ    ：主加熱装置Ｈの最小加熱容量，
Ｗｍａｘ    ：断熱加湿装置Ｗの最大加湿容量，
Ｃｍａｘ    ：冷却装置Ｃの最大冷却容量，
Ｔｃ    ：冷却装置Ｃの冷却温度，
ＲＨｍａｘ  ：補助加熱装置ＲＨの最大加熱容量，
ＤＳｍａｘ  ：等温加湿装置ＤＳの最大加湿容量，
Ｔｍａｘ    ：外気温度上限設定値，
の各データが設定可能に成されている。
この場合に、空調空気の温湿度を一年を通じて一定に維持する場合は、空調空気の上限温湿度Ｔｓ，Φｓと、下限温湿度Ｔｗ，Φｗに同じ値を設定する。
また、熱帯仕様で主加熱装置Ｈがない場合はＨｍａｘ  ＝０，Ｈｍｉｎ  ＝０と、寒冷地仕様などで冷却装置Ｃがない場合はＣｍａｘ  ＝０と設定すればよい。
【００１７】
また、前記制御マップ設定器１４は、まず、前記データ記憶装置１２に記憶された各条件設定データに基づき、空気線図テーブル１３から読み出した湿り空気線図上に、
Ｐｓ：高温期の空調空気の温湿度Ｔｓ，Φｓによって定まる上限状態点，
Ｐｗ：低温期の空調空気の温湿度Ｔｗ，Φｗによって定まる下限状態点，
Ｌ０  ：中間期の空調空気の温湿度を前記上限状態点Ｐｓ及び下限状態点Ｐｗを結んだ線で表す目標温湿度線，
Ｌｓ，Ｌｗ：補助加熱操作で目標温湿度線Ｌ０  に至る領域を前記上限状態点Ｐｓ及び下限状態点Ｐｗから夫々の露点へ延びる等絶対湿度線により設定する上限及び下限補助加熱線，
Ｅｓ，Ｅｗ：上限状態点Ｐｓ及び下限状態点Ｐｗから等エンタルピ線と平行に高温側へ延びる上限及び下限エンタルピ線，
Ｌ１  ：上限及び下限エンタルピ線Ｅｓ及びＥｗに挟まれた領域内で断熱加湿操作により目標温湿度線Ｌ０  に至る領域を前記目標温湿度線Ｌ０  に対して断熱加湿装置Ｗの最大加湿容量Ｗｍａｘ  に応じた加湿分だけ低湿度側に設定した線で表す断熱加湿容量設定線，
Ｌ２  ：前記下限エンタルピ線Ｅｗと断熱加湿容量設定線Ｌ１  とを等温加湿装置ＤＳの最大加湿容量ＤＳｍａｘ  に応じて等温度線に沿って低湿度側に平行移動した線で、断熱加湿操作と等温加湿操作を併用することによって目標温湿度線Ｌ０  に達する下限を表す全加湿容量設定線，
Ｌ３  ：主加熱装置Ｈの最小加熱容量Ｈｍｉｎ  に応じた温度分だけ下限エンタルピ線Ｅｗを低温側に移動させ、その下端から等温線と平行に伸ばした線で、主加熱装置Ｈで安定的に制御し得る最小加熱容量を示す最小主加熱容量設定線，
Ｌ４  ：主加熱操作により下限状態点Ｐｗのエンタルピに達する下限エンタルピを、主加熱装置Ｈの最大加熱容量Ｈｍａｘ  に応じたエンタルピ分だけ下限状態点Ｐｗのエンタルピより低い等エンタルピ線で表す最大主加熱容量設定線，
Ｌ５  ：等温加湿操作を行うことにより下限状態点Ｐｗに達する最低温度を下限状態点Ｐｗから等温線に沿って降ろした線で表す等温加湿下限温度線，
Ｌ６  ：断熱加湿操作を行うことにより下限状態点Ｐｗの絶対湿度と等しい湿度まで加湿できる下限絶対湿度を、下限エンタルピ線Ｅｗと断熱加湿容量設定線Ｌ１  との交点と絶対湿度が等しい線で表す断熱加湿下限湿度線，
Ｌ７  ：断熱加湿操作及び等温加湿操作を行うことにより下限状態点Ｐｗの絶対湿度と等しい湿度まで加湿できる下限絶対湿度を、全加湿容量設定線Ｌ２  の下限絶対湿度を通る等絶対湿度線で表す全加湿下限湿度線，
Ｌ８  ：最大主加熱容量設定線Ｌ４  と断熱加湿下限湿度線Ｌ６  との交点温度における全加湿下限湿度線Ｌ７  上の点から低温側に延びる等エンタルピ線で、補助加熱操作を行うことなく下限状態点Ｐｗまで加熱可能な下限温度を表す主加熱限界線，
Ｌ９  ：補助加熱装置ＲＨの供給熱量を最大にしたときの最大加熱容量ＲＨｍａｘ  に応じたエンタルピ分だけ、主加熱下限温度線Ｌ８  から低エンタルピ側に平行に設定された等エンタルピ線で、主加熱操作及び補助加熱操作を行って下限状態点Ｐｗまで加熱可能な下限温度を表す全加熱下限温度線，
Ｌ１０：冷却装置Ｃの最大冷却容量Ｃｍａｘ  に応じたエンタルピ分だけ上限状態点Ｐｓの露点のエンタルピより高エンタルピ側に設定した線で、上限状態点Ｐｓの絶対湿度まで除湿可能な上限温湿度を表す冷却限界線，
Ｌ１１：冷却装置Ｃの冷却温度Ｔｃにおける相対湿度１００％の冷却状態点Ｐｃと上限状態点Ｐｓを結ぶ延長線で、上限状態点Ｐｓより高温側へ延びる冷却線，
Ｌ１２：外気温度上限設定値Ｔｍａｘ  に応じた上限温度線，
を数値データ化または数式データ化して設定する。
【００１８】
そして、これに基づき、空気線図テーブル１３から読み出した湿り空気線図を温湿度制御に必要な温湿度調整器４，４…の組合せに応じて以下のような複数の制御エリアＡ１  〜Ａ１０に区分した制御マップを設定する。
各制御エリアＡ１  〜Ａ１０は、
Ａ１  ：全加熱下限温度線Ｌ９  と全加湿下限湿度線Ｌ７  と主加熱限界線Ｌ８  と飽和蒸気圧線ＬＨで囲まれた低温期低温低湿度制御エリア，
Ａ２  ：主加熱限界線Ｌ８  と全加湿下限湿度線Ｌ７  と最小主加熱容量設定線Ｌ３  と断熱加湿下限湿度線Ｌ６  と最大主加熱容量設定線Ｌ４  と飽和蒸気圧線ＬＨで囲まれた低温期高温低湿度制御エリア，
Ａ３  ：最大主加熱容量設定線Ｌ４  と断熱加湿下限湿度線Ｌ６  と最小主加熱容量設定線Ｌ３  と飽和蒸気圧線ＬＨで囲まれた低温期高温高湿度制御エリア，
Ａ４  ：目標温湿度線Ｌ０  と下限エンタルピ線Ｅｗと断熱加湿容量設定線Ｌ１  と上限エンタルピ線Ｅｓで囲まれた中間期低相対湿度制御エリア，
Ａ５  ：下限エンタルピ線Ｅｗと断熱加湿容量設定線Ｌ１  と上限温度線Ｌ１２と全加湿容量設定線Ｌ２  と最小主加熱容量設定線Ｌ３  と等温加湿下限温度線Ｌ５  とで囲まれた中間期低絶対湿度制御エリア，
Ａ６  ：全加湿下限湿度線Ｌ７  と全加湿容量設定線Ｌ２  と最小主加熱容量設定線Ｌ３  とで囲まれた中間期低エンタルピ制御エリア，
Ａ７  ：上限エンタルピ線Ｅｓと目標温湿度線Ｌ０  と下限エンタルピ線Ｅｗと飽和蒸気圧線ＬＨにより囲まれた中間期高相対湿度制御エリア，
Ａ８  ：下限エンタルピ線Ｅｗと等温加湿下限温度線Ｌ５  と最小主加熱容量設定線Ｌ３  により囲まれた中間期低温制御エリア，
Ａ９  ：上限エンタルピ線Ｅｓと上限温度線Ｌ１２と冷却限界線Ｌ１０と冷却線Ｌ１１とで囲まれた高温期低湿度制御エリア，
Ａ１０：冷却限界線Ｌ１０と冷却線Ｌ１１と上限補助加熱線Ｌｓと飽和蒸気圧線ＬＨで囲まれた高温期高湿度制御エリア，
で表される。
【００１９】
また、各制御エリアＡ１  〜Ａ１０ごとに状態変化予想線Ｊ１  〜Ｊ１０を設定する前記予想線設定器１７は、制御エリア判定器１６により判定された外気状態点Ｇ１  〜Ｇ１０が属する制御エリアＡ１  〜Ａ１０に応じて、使用する温湿度調整器４，４…の組合せ及びその手順を予め記憶した低温期低温低湿度制御手順設定器Ｓ１  ，低温期高温低湿度制御手順設定器Ｓ２  ，低温期高温高湿度制御手順設定器Ｓ３  ，中間期低相対湿度制御手順設定器Ｓ４  ，中間期低絶対湿度制御手順設定器Ｓ５  ，中間期低エンタルピ制御手順設定器Ｓ６  ，中間期高相対湿度制御手順設定器Ｓ７  ，中間期低温制御手順設定器Ｓ８  ，高温期低湿度制御手順設定器Ｓ９  ，高温期高湿度制御手順設定器Ｓ１０を備えている。
【００２０】
低温期低温低湿度制御手順設定器Ｓ１  には，使用する温湿度調整器４として主加熱装置Ｈと断熱加湿装置Ｗと補助加熱装置ＲＨと等温加湿装置ＤＳが設定されると共に、制御手順として低温期低温低湿度制御エリアＡ１  に属する外気状態点Ｇ１  から下限状態点Ｐｗに至るまで、主加熱操作線Ｈｌ  と断熱加湿操作線Ｗｌ  と補助加熱操作線ＲＨｌ  と等温加湿操作線ＤＳｌ  をこの順で結んだ状態変化予想線Ｊ１  が設定されている。
【００２１】
低温期高温低湿度制御手順設定器Ｓ２  には、使用する温湿度調整器４として主加熱装置Ｈと断熱加湿装置Ｗと等温加湿装置ＤＳが設定されると共に、制御手順として低温期高温低湿度制御エリアＡ２  に属する外気状態点Ｇ２  から下限状態点Ｐｗに至るまで、主加熱操作線Ｈｌ  と断熱加湿操作線Ｗｌ  と等温加湿操作線ＤＳｌ  をこの順で結んだ状態変化予想線Ｊ２  が設定されている。
【００２２】
低温期高温高湿度制御手順設定器Ｓ３  には、使用する温湿度調整器４として主加熱装置Ｈと断熱加湿装置Ｗが設定されると共に、制御手順として低温期高温高湿度制御エリアＡ３  に属する外気状態点Ｇ３  から下限状態点Ｐｗに至るまで、主加熱操作線Ｈｌ  と断熱加湿操作線Ｗｌ  とをこの順で結んだ状態変化予想線Ｊ３  が設定されている。
【００２３】
中間期低相対湿度制御手順設定器Ｓ４  には、使用する温湿度調整器４として断熱加湿装置Ｗが設定されると共に、制御手順として中間期低相対湿度制御エリアＡ４  に属する外気状態点Ｇ４  から目標温湿度線Ｌ０  上の点に至るまで、断熱加湿操作線Ｗｌ  が状態変化予想線Ｊ４  として設定されている。
【００２４】
中間期低絶対湿度制御手順設定器Ｓ５  には、使用する温湿度調整器４として断熱加湿装置Ｗと等温加湿装置ＤＳが設定されると共に、制御手順として中間期低絶対湿度制御エリアＡ５  に属する外気状態点Ｇ５  から目標温湿度線Ｌ０  上の点に至るまで、断熱加湿操作線Ｗｌ  と等温加湿操作線ＤＳｌ  をこの順で結んだ状態変化予想線Ｊ５  が設定されている。
【００２５】
中間期低エンタルピ制御手順設定器Ｓ６  には、使用する温湿度調整器４として断熱加湿装置Ｗと補助加熱装置ＲＨと等温加湿装置ＤＳが設定されると共に、制御手順として中間期低エンタルピ制御エリアＡ６  に属する外気状態点Ｇ６  から下限状態点Ｐｗに至るまで、断熱加湿操作線Ｗｌ  と補助加熱操作線ＲＨｌ  と等温加湿操作線ＤＳｌ  をこの順で結んだ状態変化予想線Ｊ６  が設定されている。
【００２６】
中間期高相対湿度制御手順設定器Ｓ７  には、使用する温湿度調整器４として補助加熱装置ＲＨが設定されると共に、制御手順として中間期高相対湿度制御エリアＡ７  に属する外気状態点Ｇ７  から目標温湿度線Ｌ０  上の点に至るまで、補助加熱操作線ＲＨｌ  が状態変化予想線Ｊ７  として設定されている。
【００２７】
中間期低温制御手順設定器Ｓ８  には、使用する温湿度調整器４として断熱加湿装置Ｗと補助加熱装置ＲＨが設定されると共に、制御手順として中間期低温制御エリアＡ８  に属する外気状態点Ｇ８  から下限状態点Ｐｗに至るまで、断熱加湿操作線Ｗｌ  と補助加熱操作線ＲＨｌ  をこの順で結んだ状態変化予想線Ｊ８  が設定されている。
【００２８】
高温期低湿度制御手順設定器Ｓ９  には、使用する温湿度調整器４として断熱加湿装置Ｗと冷却装置Ｃが設定されると共に、制御手順として高温期低湿度制御エリアＡ９  に属する外気状態点Ｇ９  から上限状態点Ｐｓに至るまで、断熱加湿操作線Ｗｌ  と冷却操作線Ｃｌ  をこの順で結んだ状態変化予想線Ｊ９  が設定されている。
【００２９】
高温期高湿度制御手順設定器Ｓ１０には、使用する温湿度調整器４として冷却装置Ｃと補助加熱装置ＲＨが設定されると共に、制御手順として高温期高湿度制御エリアＡ１０に属する外気状態点Ｇ１０から上限状態点Ｐｓに至るまで、冷却操作線Ｃｌ  と補助加熱操作線ＲＨｌ  をこの順で結んだ状態変化予想線Ｊ１０が設定されている。
【００３０】
以上が本発明の一例構成であって、次にその作用を説明する。
例えば、塗装ブース内の雰囲気温度を制御する空調装置をシミュレーションする場合に、空調装置１の条件設定データとして、夏場の空調空気の目標温湿度Ｔｓ＝２８℃，Φｓ＝７５％、冬場の空調空気の目標温湿度Ｔｗ＝２０℃，Φｗ＝７５％、主加熱装置Ｈの最大加熱容量Ｈｍａｘ  ＝５０万ｋｃａｌ  ／ｈｒ，  最小加熱容量Ｈｍｉｎ  ＝１０万ｋｃａｌ  ／ｈｒ、断熱加湿装置Ｗの最大加湿容量（最大加湿効率８０％で運転した時の加湿容量）Ｗｍａｘ  ＝４４０ｋｇ／ｈｒ、冷却装置Ｃの最大冷却容量Ｃｍａｘ  ＝５０万ｋｃａｌ  ／ｈｒ、冷却装置Ｃの冷却温度Ｔｃ＝７℃、補助加熱装置ＲＨの最大加熱容量ＲＨｍａｘ  ＝１０万ｋｃａｌ  ／ｈｒ、等温加湿装置ＤＳの最大加湿容量ＤＳｍａｘ  ＝１５０ｋｇ／ｈｒ，上限外気温度Ｔｍａｘ  ＝４３℃を入力すると、制御マップ設定器１４により、図２に示すような制御マップＭが設定される。
なお、各温湿度調整器４，４…の容量は、空調装置１の送風量（ｍ３  ／ｈｒ）  によって定まり、例えば、本例では風量が５５０００  Ｎｍ３  ／ｈｒとしたときの容量が設定されている。
【００３１】
ここで、外気の温度Ｔ１  〜Ｔ１０及び湿度Φ１  〜Φ１０で定まる外気状態点Ｇ１  〜Ｇ１０が、いずれかの制御エリアＡ１  〜Ａ１０内に入っていれば制御可能であり所定の温湿度の空調空気を供給することができる。
しかし、いずれの制御エリアＡ１  〜Ａ１０にも属さない場合には所定の温湿度の空調空気を供給することができない。
したがって、空調装置１を設置しようとする場所の気象データを外気の温湿度データとして入力することにより、その空調装置１が一年中を通じて予め設定した温湿度の空調空気を供給できるか否かを判断することができる。
【００３２】
また、気象データを制御マップＭ上にプロットしたときに、どの制御エリアＡ１  〜Ａ１０における制御が多いかがわかる。
これにより、例えば、低温期高温低湿度制御エリアＡ２  にプロットされる外気状態点が多ければ、等温加湿装置ＤＳに頼らざるを得ないので、ランニングコストを低減するために断熱加湿装置Ｗの容量を大きくしたり、制御エリアＡ９  ，Ａ１０においてエンタルピの高い部分にプロットされる外気状態点がなければ冷却装置Ｃの容量を小さくするように設計し直すなど、各温湿度調整器４，４…の容量が適当であるか否かの判断を行うことができる。
【００３３】
次いで、予想線設定器１７では、外気状態点Ｇ１  〜Ｇ１０で表される外気が空調装置１に取り入れられたときに、各温湿度調整器４，４…がどのように制御されるかを示す状態変化予想線Ｊ１  〜Ｊ１０を設定し、これを表示装置１５の制御マップＭ上に表示させることができる。
【００３４】
外気状態点Ｇ１  が低温期低温低湿度制御エリアＡ１  に属する場合、図３（ａ）に示すように、制御手順設定器Ｓ１  により、外気状態点Ｇ１  から下限状態点Ｐｗに至るまで、主加熱操作線Ｈｌ  と断熱加湿操作線Ｗｌ  と補助加熱操作線ＲＨｌ  と等温加湿操作線ＤＳｌ  をこの順で結んだ状態変化予想線Ｊ１  が設定され、これが制御マップＭ上に表示される。
すなわち、制御エリアＡ１  内の状態点Ｇ１  は、主加熱操作によりエリアＨ１  に移行し、断熱加湿操作によりエリアＷ１  に移行する。そして、補助加熱操作，等温加湿操作により下限状態点Ｐｗに達する。
【００３５】
外気状態点Ｇ２  が低温期高温低湿度制御エリアＡ２  に属する場合、図３（ｂ）に示すように、制御手順設定器Ｓ２  により、外気状態点Ｇ２  から下限状態点Ｐｗに至るまで、主加熱操作線Ｈｌ  と断熱加湿操作線Ｗｌ  と等温加湿操作線ＤＳｌ  をこの順で結んだ状態変化予想線Ｊ２  が設定され、これが制御マップＭ上に表示される。
すなわち、制御エリアＡ２  内の状態点Ｇ２  は主加熱操作によりエリアＨ２  に移行し、断熱加湿操作により等温加湿下限温度線Ｌ５  上に移行する。そして、補助加熱操作，等温加湿操作により下限状態点Ｐｗに達する。
【００３６】
外気状態点Ｇ３  が低温期高温高湿度制御エリアＡ３  に属する場合、図３（ｃ）に示すように、制御手順設定器Ｓ３  により、外気状態点Ｇ３  から下限状態点Ｐｗに至るまで、主加熱操作線Ｈｌ  と断熱加湿操作線Ｗｌ  とをこの順で結んだ状態変化予想線Ｊ３  が設定され、これが制御マップＭ上に表示される。
すなわち、制御エリアＡ３  内の状態点Ｇ３  は主加熱操作により下限エンタルピ線Ｅｗ上に乗せることができ、断熱加湿操作により下限状態点Ｐｗに達する。
【００３７】
外気状態点Ｇ４  が中間期低相対湿度制御エリアＡ４  に属する場合、図４（ａ）に示すように、制御手順設定器Ｓ４  により、外気状態点Ｇ４  から目標温湿度線Ｌ０  上の点に至るまで、断熱加湿操作線Ｗｌ  が状態変化予想線Ｊ４  として設定され、これが制御マップＭ上に表示される。
すなわち、制御エリアＡ４  内の状態点Ｇ４  は断熱加湿操作のみにより目標温湿度線Ｌ０  に達する。
【００３８】
外気状態点Ｇ５  が中間期低絶対湿度制御エリアＡ５  に属する場合、図４（ｂ）に示すように、制御手順設定器Ｓ５  により、外気状態点Ｇ５  から目標温湿度線Ｌ０  上の点に至るまで、断熱加湿操作線Ｗｌ  と等温加湿操作線ＤＳｌ  をこの順で結んだ状態変化予想線Ｊ５  が設定され、これが制御マップＭ上に表示される。
すなわち、制御エリアＡ５  内の状態点Ｇ５  は断熱加湿操作によりエリアＷ５  に推移し、等温加湿操作により目標温湿度線Ｌ０  に達する。
【００３９】
外気状態点Ｇ６  が中間期低エンタルピ制御エリアＡ６  に属する場合、主加熱装置Ｈを稼動させると、加熱容量オーバーとなって湿度不足となり、又は温度が下限状態点Ｐｗを超えてしまう。そこで、図４（ｃ）に示すように、制御手順設定器Ｓ６  により、外気状態点Ｇ６  から下限状態点Ｐｗに至るまで、断熱加湿操作線Ｗｌ  と補助加熱操作線ＲＨｌ  と等温加湿操作線ＤＳｌ  をこの順で結んだ状態変化予想線Ｊ６  が設定され、これが制御マップＭ上に表示される。
すなわち、制御エリアＡ６  内の状態点Ｇ６  は、断熱加湿操作によりエリアＷ６  に移行した後、補助加熱操作，等温加湿操作により下限状態点Ｐｗに達する。
【００４０】
外気状態点Ｇ７  が中間期高相対湿度制御エリアＡ７  に属する場合、図４（ｄ）に示すように、制御手順設定器Ｓ７  により、外気状態点Ｇ７  から目標温湿度線Ｌ０  上の点に至るまで、補助加熱操作線ＲＨｌ  が状態変化予想線Ｊ７  として設定され、これが制御マップＭ上に表示される。
すなわち、制御エリアＡ７  内の状態点Ｇ７  は、補助加熱操作のみにより目標温湿度線Ｌ０  に達する。
【００４１】
外気状態点Ｇ８  が中間期低温制御エリアＡ８  に属する場合、図４（ｅ）に示すように、制御手順設定器Ｓ８  により、外気状態点Ｇ８  から下限状態点Ｐｗに至るまで、断熱加湿操作線Ｗｌ  と補助加熱操作線ＲＨｌ  をこの順で結んだ状態変化予想線Ｊ８  が設定され、これが制御マップＭ上に表示される。
すなわち、制御エリアＡ８  内の状態点Ｇ８  は、補助加熱操作及び断熱加湿操作により下限状態点Ｐｗに達する。
【００４２】
外気状態点Ｇ９  が高温期低湿度制御エリアＡ９  に属する場合、図５（ａ）に示すように、制御手順設定器Ｓ９  により、外気状態点Ｇ９  から上限状態点Ｐｓに至るまで、断熱加湿操作線Ｗｌ  と冷却操作線Ｃｌ  をこの順で結んだ状態変化予想線Ｊ９  が設定され、これが制御マップＭ上に表示される。
すなわち、制御エリアＡ９  内の状態点Ｇ９  は、断熱加湿操作により冷却線Ｌ１１上に達し、冷却操作により上限状態点Ｐｓに達する。
【００４３】
外気状態点Ｇ１０が高温期高湿度制御エリアＡ１０に属する場合、図５（ｂ）に示すように、制御手順設定器Ｓ１０により、外気状態点Ｇ１０から上限状態点Ｐｓに至るまで、冷却操作線Ｃｌ  と補助加熱操作線ＲＨｌ  をこの順で結んだ状態変化予想線Ｊ１０が設定され、これが制御マップＭ上に表示される。
すなわち、制御エリアＡ１０内の状態点Ｇ１０は、冷却操作により上限補助加熱線Ｌｓ上に達し、補助加熱操作により上限状態点Ｐｓに達する。
【００４４】
なお、断熱加湿装置Ｗは外気に含まれる塵埃を除去するために、制御に必要のない場合でも加湿量を最低に絞って常時運転されているため、これを考慮する場合は、外気状態点の湿度からその加湿分を予め差し引いて考えればよい。
また、各条件設定データは０を入力することもでき、例えば等温加湿装置ＤＳが設置されていない場合にはその最大加湿容量ＤＳｍａｘ  ＝０としたり、寒冷地仕様で冷却装置Ｃが設けられていない場合には最大冷却容量Ｃｍａｘ  ＝０と設定して入力すればよい。
さらに、上述の説明では、目標とする温湿度の状態点を、上限状態点Ｐｓ及び下限状態点Ｐｗを結ぶ目標温湿度線Ｌ０  上の点として表したが、図６に示すように、所定の許容範囲をもったエリアＡ０  として設定する場合であってもよい。
【００４５】
図７は前述と異なる条件設定データを入力したときの制御マップＭを示し、図２と共通する部分については同一符号を付して詳細説明は省略する。本例では、主加熱装置Ｈの最大主加熱容量Ｈｍａｘ  が大きく設定され、等温加湿装置ＤＳの最大加湿容量ＤＳｍａｘ  と主加熱装置Ｈの最小主加熱容量Ｈｍａｘ  のエンタルピ換算値が略等しく設定されている。
これにより、最大主加熱容量設定線Ｌ８  が湿り空気線図外に描かれることとなり、また、全加湿容量設定線Ｌ２  と最小主加熱容量設定線Ｌ３  が等エンタルピ線上に重なるように設定されている。
【００４６】
【発明の効果】
以上述べたように、本発明によれば、空調装置の条件設定データを入力すると、空気線図を温湿度制御に必要な温湿度調整器の組合せに応じて複数の制御エリアに区分した制御マップがグラフィック表示されるので、空調装置に取り入れる外気の温湿度として空調装置を設置する場所の気象データを入力することにより、各制御エリアの使用頻度を知ることができ、これに基づいて、条件設定データの適否、特に各温湿度調整器の容量の適否を判定し、最も効率のよい容量を決定することができるという大変優れた効果を奏する。
【００４７】
また、入力された外気の温湿度により定まる外気状態点が属する制御エリアに応じて、前記外気状態点から予め設定された目標とする温湿度の状態点に至るまでの温湿度変化を表す状態変化予想線が制御マップ上にグラフィック表示させるようにすれば、実際の空調装置を運転することなく、予め入力した条件設定データにより想定された空調装置を稼動させたときの運転状況を把握することができるという効果を奏する。
【図面の簡単な説明】
【図１】本発明に係る空調装置の温湿度制御シミュレータを示すブロック図。
【図２】本発明装置で設定された制御マップの一例を示す湿り空気線図。
【図３】（ａ）〜（ｃ）は状態変化予想線の例を示す湿り空気線図。
【図４】（ａ）〜（ｅ）は状態変化予想線の例を示す湿り空気線図。
【図５】（ａ），（ｂ）は状態変化予想線の例を示す湿り空気線図。
【図６】他の制御マップの例を示す湿り空気線図。
【図７】他の制御マップの例を示す湿り空気線図。
【図８】空調装置を示す概略説明図。
【図９】従来の制御方法を示す説明図。
【符号の説明】
１・・・・・・空調装置
４・・・・・・温湿度調整器
Ｈ・・・・・・主加熱装置
Ｗ・・・・・・断熱加湿装置
Ｃ・・・・・・冷却装置
ＲＨ・・・・・補助加熱装置
ＤＳ・・・・・等温加湿装置
１０・・・・・・空調装置の温湿度制御シミュレータ
１１・・・・・・データ入力装置
１２・・・・・・データ記憶装置
１３・・・・・・空気線図テーブル
Ａ１  〜Ａ１０・・・制御エリア
Ｍ・・・・・・・制御マップ
１４・・・・・・制御マップ設定器
１５・・・・・・表示装置
Ｔ１  〜Ｔ１０・・・外気温度
Φ１  〜Φ１０・・・外気湿度
Ｇ１  〜Ｇ１０・・・外気状態点
１６・・・・・・制御エリア判定器
Ｈｌ  ・・・・・・主加熱操作線
Ｗｌ  ・・・・・・断熱加湿操作線
Ｃｌ  ・・・・・・冷却操作線
ＲＨｌ  ・・・・・補助加熱操作線
ＤＳｌ  ・・・・・等温加湿操作線
Ｊ１  〜Ｊ１０・・・状態変化予想線
１７・・・・・・予想線設定器
Ｓ１  〜Ｓ１０・・・制御手順設定器
【図１】
0003556815.tif 000002
【図２】
0003556815.tif 000003
【図３】
0003556815.tif 000004
【図４】
0003556815.tif 000005
【図５】
0003556815.tif 000006
【図６】
0003556815.tif 000007
【図７】
0003556815.tif 000008
【図８】
0003556815.tif 000009
【図９】
0003556815.tif 000010